Podtech/llm-jp-corpus-v4-ja_patent huggingface dataset:
(57)【要約】      （修正有）【課題】転落・滑落時の初期制動を可能とし、なおかつ、作業性を確保する安全帯を提案する。【解決手段】命綱３に、固定されたロープ６上に把持された箇所５が、開閉できる部品のついている金属の輪４で連結する。この開閉できる部品のついている金属の輪４が把持された箇所に引っ張られる位置で作業することで、転落・滑落の初期制動が可能となり、また、開閉できる部品のついている金属の輪４に引っ張られて命綱が変形することで、命綱が作業を妨げない。【選択図】図２
2013005916.tif 000002
【特許請求の範囲】
【請求項１】
装着時の胴ベルト型安全帯の右腰部に、命綱３の一端を取り付けて、他端部を胴ベルト型安全帯の左腰部に取り付けたことを特徴とする構造の胴ベルト型安全帯。
【請求項２】
請求項目１の命綱３が、固定されたロープ上の把持された箇所５と連係して動くことで、固定されたロープ６と命綱３との間の張力を常に保持できる。この張力によって、転落・滑落の防止をする方法。
【発明の詳細な説明】
【技術分野】
【０００１】
本発明は、命綱３にかかる張力を２分するとともに、命綱３にかけた開閉できる部品のついている金属の輪４が移動可能とすることにより、転落・滑落の初期制動を可能とし、なおかつ、作業性を確保する胴ベルト安全帯に関するものである。
【背景技術】
【０００２】
従来の安全帯は、墜落・転落・滑落に対する命綱の役割は、落下を止めることを主目的としている。作業時には命綱は弛んだ状態である。作業性を求めれば、命綱は弛ませた状態を求めるが、弛んでいる分、落下距離が出て怪我をしやすい。本発明の主眼は、転落・滑落の初期制動に置いている。この初期制動を実現するには命綱の張力が求められ、なおかつ作業性を損なわないことが必要だ。
【０００３】
特許文献１には図６に図示する従来の胴ベルト型安全帯では、ランヤード７の取付け位置は体の左右側面の２箇所と連結することで安全を図っている。しかし、作業者の姿勢を変えるとランヤード４が邪魔になるケースが出てくるので、図の７に図示しているように弛ませた状態にしている。この状況では、作業者がバランスを崩した場合に、転落や滑落の初期制動はむずかしい。ランヤードの長さを調節可能にした装置として、特許文献１に示すようにランヤード７をベルトに置き換えて巻取る考案があるが、取付け位置が固定されているので、作業の向きを変えたときには、ランヤードの長さ調節が必要となる。
【０００４】
特許文献２には、図５に図示するように上下の方向にロープを張る場合方法は従来からあるが、ロープ上で移動する把持器具と安全帯の間の張力を求めていない。したがって、「転落」「滑落」の初期制動に対応できない。
【０００５】
特許文献３には、安全帯１のランヤード７の長さ調節とその向きを調整する発明が開示されているが、これは、取付け位置が背面になっている。
【先行技術文献】
【特許文献】
【０００６】
【特許文献１】特開平８−８９５９２号公報
【特許文献２】特開平９−７５４７１号公報
【特許文献３】特開平２０１０−７５５１１号公報
【発明の概要】
【発明が解決しようとする課題】
【０００７】
転落・滑落の初期制動には、安全帯に結束しているランヤード７は弛みがない方がいい。弛みがあれば墜落距離が大きくなるし、初期制動ができない。従って、ある程度の張力が必要となる。
従来の胴ベルト型安全帯の使用方法には、ランヤード７に張力を求めていない。これは、ランヤード７の長さ調節が簡易・適宜にはできないという問題と、取付け位置が左右に固定されていて、作業姿勢をかえるには弛みが必要だからである。
【課題を解決するための手段】
【０００８】
胴ベルト型安全帯の左端部に、命綱の一端を取り付けて、命綱の他端部を胴ベルト型安全帯の右端部に取り付けて形成されるループ形状の命綱に、固定されたロープ上で把持された箇所５を、開閉できる部品がついている金属の輪４を介して連結させることで、把持された箇所５と命綱３が連係して、固定されたロープ上部と安全帯との間の張力を保持する。
【発明の効果】
【０００９】
請求項１に示されている命綱３に、固定されたロープ６上に把持された箇所５を、開閉できる部品がついている金属の輪４で連結することで、図２もしくは図３のように、この開閉できる部品がついている金属の輪４が把持された箇所に引っ張られる位置で作業するので、常に張力を保持しながらの作業が可能で、転落・滑落の初期制動に対処できる。
図２もしくは図３のように、張力のある状態で命綱３は変形するので、横向きや下向きの作業時に、作業スペースが確保される。また。立ち位置を変えても把持された箇所５に連結された、開閉できる部品がついている金属の輪４は移動するので、命綱３は作業を妨げない。
【図面の簡単な説明】
【００１０】
【図１】請求項１の全体図
【図２】横向き姿勢の命綱と開閉できる部品がついている金属の輪の位置
【図３】後向き向き姿勢の命綱と開閉できる部品がついている金属の輪の位置
【図４】プルージック全体図
【図５】屋根作業時の全体図
【図６】従来の安全帯
【図７】従来の安全帯のハーネス取付け位置
【発明を実施するための形態】
【００１１】
張力によって、転落・滑落の初期制動に対応できるシステムであり、命綱が作業を妨げないという利点があるので、屋根工事や法面工事などに適している。
【実施例】
【００１２】
図４で示すプルージック５は、固定されたロープ６上で、固定と解除が可能なロープ技術である。これは、輪状のロープと物を結ぶ方法で、負荷をかけると締まり、緩めるとスライドさせることが出来る結び方である。
【００１３】
図６に図示するような屋根などの傾斜面で、屋根上部に固定したロープ６を下方向に向かって伸ばし、ロープ６上に、プルージック５を取り付ける。これに、請求項１の命綱３と開閉できる部品がついている金属の輪４で連結する。
図２もしくは図３に図示されるように、ロープ６上のプルージック５で張力を維持できるように長さ調節をする。プルージック５と連結した命綱３は、プルージック５に引っ張られて、連結部分の開閉できる部品４が傾斜面の上部方向に移動する。
図２もしくは図３に図示されるように、プルージック５と命綱３は、連係しながら張力を保持するので、転落・滑落の初期制動に対処しやすく、また、作業性を確保できる。
【符号の説明】
【００１４】
１  胴ベルト安全帯
２  Ｄ環
３  命綱
４  開閉できる部品がついている金属の輪
５  プルージック
６  ロープ
７  ランヤード
【図１】
2013005916.tif 000003
【図２】
2013005916.tif 000004
【図３】
2013005916.tif 000005
【図４】
2013005916.tif 000006
【図５】
2013005916.tif 000007
【図６】
2013005916.tif 000008
【図７】
2013005916.tif 000009
(57)【要約】【課題】軸受を使用することで摩擦を低減できることを顧客や消費者に体験してもらうことで、軸受の効果をより理解できる引張り体験装置を提供することを目的とする。【解決手段】錘２を乗せる台部３が設けられ、台部３には錘２を乗せた台部３を引っ張る為の取っ手４が設けられている。また、錘２を乗せた台部３を接地し昇降させる昇降部５が、昇降部５を昇降させる昇降機６に設けられている。昇降機６と台部３との間には、転動体７と転動体７を保持する保持部８から構成される軸受部９が設けられており、図示すように、台部３を降下させた時に、台部３が転動体７に接地するようになっている。【選択図】図４
2013164097.tif 000002
【特許請求の範囲】
【請求項１】
錘を乗せる台部と、台部に設けられた台部を引っ張る為の取っ手と、台部を昇降させる昇降部と、昇降部を昇降させる昇降機と、昇降機の上昇と降下を切換る昇降切換ボタンと、昇降部を降下させた際に、台部を支持する転動体と転動体を保持する保持部から構成される軸受部と、から成ることを特徴とする摩擦体験引張り装置。
【発明の詳細な説明】
【技術分野】
【０００１】
本発明は、すべり摩擦ところがり摩擦の違いを体験できる装置に関する。
【背景技術】
【０００２】
近年、軸受のような中間財を製造する企業でも、コーポレートブランドの重要性が高まっている。
【０００３】
自動車や家電製品のような一般の消費者を対象とする製品を製造する企業は、コーポレートブランドが広く認知されているが、中間財である軸受のような汎用の工業製品は、種々の装置の中で使用されていることが多く、関係者以外の人間が目にする機会は少ない為、一般には認知されておらず、それを製造する企業のコーポレートブランドの認知も低い。
【０００４】
そのコーポレートブランドを高める方法の一つに、その企業のノベルティーグッズを配布することが挙げられる。
【０００５】
そのようなノベルティーグッズの一つとして、特許文献１には、配布等される軸受を備えた携帯品用のストラップが開示されている。このストラップは、ストラップ本体と、軸受をストラップ本体に取り付ける取付具と、軸受を備える。
【先行技術文献】
【特許文献】
【０００６】
【特許文献１】特開２００８−１６１４８３号公報
【発明の概要】
【発明が解決しようとする課題】
【０００７】
本発明者は、このような工業製品の一つである軸受を配布するだけでなく、実際に軸受を使用することで摩擦を低減できることを顧客や消費者に体験してもらうことで、自社製品をさらにアピールでき、その軸受を使用することで発揮される効果をこれまで以上に深く理解してもらえると考えている。
【０００８】
本発明は、上記事情に鑑みて成されたものであり、軸受の効果をより理解できる引張り体験装置を提供することを目的とする。
【課題を解決するための手段】
【０００９】
前記目的を達成する為に、請求項１に記載の摩擦体験引張り装置は、錘を乗せる台部と、台部に設けられた台部を引っ張る為の取っ手と、台部を昇降させる昇降部と、昇降部を昇降させる昇降機と、昇降機の上昇と降下を切換る昇降切換ボタンと、昇降部を降下させた際に、台部を支持する転動体と転動体を保持する保持部から構成される軸受部と、から成ることを特徴とする。
【発明の効果】
【００１０】
本発明の摩擦体験引張り装置によれば、実際に軸受を使用することで摩擦を低減できることを顧客や消費者に体験してもらうことで、軸受を使用することで発揮される効果をより理解でき、軸受に対しての認知度が向上し、さらには、軸受を製造する企業も認知されることになり、コーポレートブランドの認知の向上を図ることができる。
【図面の簡単な説明】
【００１１】
【図１】本発明の実施の形態を説明する図。
【図２】図１を右側面から見た図。
【図３】本発明の実施の形態を説明する図。
【図４】図３を右側面から見た図。
【発明を実施するための形態】
【００１２】
図１〜４は、本発明の実施の形態の１例を示している。図示のように、本発明の実施の形態の１例である摩擦体験引張り装置１では、錘２を乗せる台部３が設けられ、台部３には錘２を乗せた台部３を引っ張る為の取っ手４が設けられている。また、錘２を乗せた台部３を接地し昇降させる昇降部５が、昇降部５を昇降させる昇降機６に設けられている。昇降機６と台部３との間には、転動体７と転動体７を保持する保持部８から構成される軸受部９が設けられており、図４に示すように、台部３を降下させた時に、台部３が転動体７に接地するようになっている。
【００１３】
昇降部５の昇降状態は、昇降機６の取っ手４側に設けられた昇降切換ボタン１０により切換られる。
【００１４】
図１、２は、昇降切換ボタン１０の上側のすべり摩擦切換ボタン１１が押され、錘２を乗せた台部３が昇降部５に乗った状態であり、この時、取っ手４を引っ張ることで、すべり摩擦を体験できる。
【００１５】
図３、４は、昇降切換ボタン１０の下側のころがり摩擦切換ボタン１２が押され、上述のように台部３が転動体８に接地した状態であり、この時、取っ手４を引っ張ることで、ころがり摩擦を体験できる。
【００１６】
また、台部の周りには、アクリル製の防護柵１３が設けられている。
【符号の説明】
【００１７】
１      摩擦体験引張り装置
２      錘
３      台部
４      取っ手
５      昇降部
６      昇降機
７      転動体
８      保持部
９      軸受部
１０      昇降切換ボタン
１１      すべり摩擦切換ボタン
１２      ころがり摩擦切換ボタン
１３      防護柵
【図１】
2013164097.tif 000003
【図２】
2013164097.tif 000004
【図３】
2013164097.tif 000005
【図４】
2013164097.tif 000006
(57)【要約】【課題】コンプレッサ−の冷媒封入トルクを必要としリバァブルアップ継手を課題とし二段圧縮の際本発明の背合羽シリンダ−ロ−タ台の機械的性能向上せしめ熱力学上の比体積の変化の増大エントロピ−体積効率のアップを図る【手段】背合羽シリンダ−台と１８０度二分割二条継手スクロ−ルロ−タとから構成しておりシリンダ−台の上部は半継手を形成しており二条継手の如く二分割スクロ−ルロ−タ半分１８０度半径対向面半分１８０度で円型のロ−タで旋回駆動ロ−タと一体成形する【選択図】図２
2013164061.tif 000002
【特許請求の範囲】
【請求項１】
高段の二条継手二分割スクロ−ルロ−タ（１）が半径１８０度状態で継手面にわ負圧の溜受がある背合羽シリンダ台（２）の中の吐出孔（４）と吐出孔溝と吸入溝（５）はコンパウンド圧縮機用の切削加工とする二分割スクロ−ルロ−タ台の裏のスクロ−ル負圧溝（３）は半円ずつの（１）と（２）二つを円形に形成出来低段からの圧力を軸方向から高段への溜め圧孔（７）を持つ（１）に圧流の如く円周半径方向に圧力を働かせ回転力トルクアップとする
【発明の詳細な説明】
【技術分野】
【０００１】コンプレッサ−の多段圧縮の際低段の負圧を利用して高段の二分割継手スクロ−ルロ−タの回転力アップを圧力と機械駆動するものでリバァブルアップ継手とする
【背景技術】
【０００２】単圧縮ロ−タの駆動方でわ旋回ロ−タと共巡りロ−タは二枚皿とリング継手によって一体化している
【先行技術文献】
【０００３】
【特許文献１】特開  ８−２７５２１０  号公報
【発明の概要】
【発明が解決しようとする課題】
【０００４】（イ）エア−吸入時と冷媒封入時機械加工相互により冷媒使用時にはコンパウンド圧縮機としてしよう出来圧縮比も小さく出来圧縮量も効率的に良い熱力学上の問題を機械的性能で解決させトルク回転力アップとする
（ロ）シリンダから渦台の裏面のスクロ−ル吐出溝に転流した後１８０度半径の継手である継手面にわ負圧溜受け孔がある
その如く軸方向の圧力を継手を利用してその圧力を円周半径方向の回転力トルクアップとする課題
【課題を解決するための手段】
【０００５】二分割継手スクロ−ルロ−タ（１）は背合羽シリンダロ−タ台（２）は１８０度二分割したロ−タであり（１）と高段てして台座として形成している二分割継手ロ−タの（１）の裏面には低段からのスクロ−ル溝（３）が切削されている以上を高段ロ−タとする
シリンダロ−タ台（２）は低段からの吐出孔（４）がある（４）の吐出孔は冷媒使用時の吸入孔吐出孔の溝（５）がある
【発明の効果】
【０００６】二室の押しのけ量を持つスクロ−ルロ−タで冷媒循環量の増加多段圧縮は比体積変化の増大ができ圧縮比が著しく小さく出来圧縮効率は増大出来成績係数は一段圧縮に比べて顕著に大きい
【図面の簡単な説明】
【０００７】
【図１】二分割二条継手スクロ−ルロ−タの斜視図
【図２】背合羽シリンダ−ロ−タ−継手台とスクロ−ルロ−タの組合わせ図
【図３】図一のロ−タの裏面のスクロ−ル型の負圧溝の斜視図
【図４】背合羽ロ−タ−内の軸方向の吐出孔
【発明を実施するための形態】
【０００８】（イ）二分割二条継手スクロ−ルロ−タ（１）をシリンダ−ロ−タ台（２）のうえに継手同士として形成する
（ロ）シリンダ−ロ−タ（２）内の吐出孔（４）はコンパンド圧縮用の吸入溝と吐出溝が二本切削している
（ハ）二条継手スクロ−ルロ−タ（１）の裏面のスクロ−ル型負圧溝はシリンダ−ロ−タの低段の吐出孔は軸方向へ働き１８０度二分割した継手ロ−タ（１）へは円周半径方向へと圧力が働きリバァブルアップと保持出来る
【符号の説明】
【０００９】１  二分割二条継手スクロ−ルロ−タ
２  背合羽シリンダ−ロ−タ台
３  二分割ロ−タの裏面のスクロ−ル負圧溝
４  シリンダ−内吐出孔
５  シリンダ−の吐出溝と吸入溝
６  共巡りスクロ−ルロ−タ
【図１】
2013164061.tif 000003
【図２】
2013164061.tif 000004
【図３】
2013164061.tif 000005
【手続補正書】
【提出日】平成24年3月29日(2012.3.29)
【手続補正１】
【補正対象書類名】明細書
【補正対象項目名】０００７
【補正方法】変更
【補正の内容】
【０００７】
【図１】  二分割二条継手スクロ−ルロ−タの斜視図
【図２】  背合羽シリンダ−ロ−タ−継手台とスクロ−ルロ−タの組合わせ図
【図３】  図一のロ−タの裏面のスクロ−ル型の負圧溝の斜視図
(57)【要約】【課題】放射性物質で汚染された土壌や瓦礫や水の除染のために、従来、放射性物質を吸着させる吸着材に放射性物質を吸着させた後に生じていた吸着材自体の回収の困難さを低減させることによって、吸着材をより自由に撒いたり混ぜたりすることが可能で、また、吸着材自体の拡散を防ぐために網や布を用いる必要のない方法を提供することを課題とする。【解決手段】放射性物質で汚染された土壌乃至瓦礫乃至水のうちの一又は複数の混合物（以後、当該混合物と称す）から放射性物質を取り除くために、放射性物質を吸着させる吸着材として多孔性質を有し酸化鉄を含む玄武岩（以後、当該玄武岩と称す）を用いて、当該混合物と混合し、当該玄武岩に放射性物質を吸着させた後に、磁力を使って当該玄武岩を吸い寄せて当該混合物から分離し、放射性物質を吸着した当該玄武岩を回収する。【選択図】図１
2013164407.tif 000002
【特許請求の範囲】
【請求項１】
多孔性質を有し酸化鉄を含む玄武岩を放射性物質で汚染された土壌乃至瓦礫乃至水のうちの一又は複数の混合物と混合して、当該玄武岩に放射性物質を吸着させた後で、当該玄武岩を当該混合物から磁力を使って分離させ取り出す回収方法。
【請求項２】
多孔性質を有し酸化鉄を含む玄武岩を攪拌機内で放射性物質で汚染された土壌乃至瓦礫乃至水のうちの一又は複数の混合物と共に攪拌して、当該玄武岩に放射性物質を吸着させた後で、当該玄武岩を当該混合物から磁力を使って分離させ取り出す回収方法。
【請求項３】
放射性物質で汚染された土壌乃至瓦礫乃至水のうちの一又は複数の混合物を含んだ海や湖沼乃至は人工または天然の地面の凹みに水を張った場所に、多孔性質を有し酸化鉄を含む玄武岩をばら撒いて攪拌し、当該玄武岩に放射性物質を吸着させた後で、当該玄武岩を当該混合物から磁力を使って分離させ取り出す回収方法。
【請求項４】
底及び四方を耐水性の素材で囲んだ容器又は水槽又はプールに水と共に放射性物質で汚染された土壌乃至瓦礫乃至水のうちの一又は複数の混合物を入れ、その中に多孔性質を有し酸化鉄を含む玄武岩を投入して攪拌し、当該玄武岩に放射性物質を吸着させた後で、当該玄武岩を磁力を使って分離させ取り出す回収方法。
【請求項５】
請求項１乃至４で、多孔性質を有し酸化鉄を含む玄武岩に放射性物質を吸着させた後で、先に水を取り除き、土壌乃至瓦礫のうちの一又は複数の混合物と当該玄武岩が混じった混合物を取り出して、当該混合物の中から当該玄武岩を磁力を使って分離させて取り出す回収方法。
【発明の詳細な説明】
【技術分野】
【０００１】  本発明は、放射性物質で汚染された土壌乃至瓦礫乃至水の除染において、多孔性質を有し酸化鉄を含む玄武岩（以後、当該玄武岩と称す）を放射性物質を吸着させる吸着材として用い、放射性物質で汚染された当該土壌乃至瓦礫乃至水に混じった放射性物質を当該玄武岩に吸着させた後、放射性物質を吸着した当該玄武岩を磁力を使って回収する方法についての発明である。
【背景技術】
【０００２】  従来、放射性物質で汚染された土壌乃至瓦礫乃至水に混じった放射性物質を取り除くために、沸石に放射性物質を吸着させた後で、当該沸石を取り除くという方法によって、放射性物質が取り除かれることはあった。沸石は比較的安価であり、放射性物質の除染を比較的安価に行うための方法として用いられてきた。けれども、その場合には、沸石は、一旦土砂や水の中に拡散させるとそれを再び集めるのが困難であり、そのため、沸石自体は自由に動かさないことを前提とした除染方法が用いられ、また、沸石を網に入れて拡散を防ぐ方法での除染が行われてきた。
【発明の概要】
【発明が解決しようとする課題】
【０００３】  本発明では、放射性物質で汚染された土壌乃至瓦礫乃至水の中から放射性物質を取り除く際に、放射性物質を吸着させる吸着材としての沸石を、沸石自体の回収が困難であるために、自由にばら撒けなかったり、攪拌ができなかったり、また、網や袋に入れて使わなければならなかったりするという欠点を取り除き、放射性物質を吸着させる吸着材をより自由に撒いたり混ぜたりすることが可能で、吸着材自体の拡散を防ぐために網や布を用いる必要のない方法を提供することを課題とする。
【課題を解決するための手段】
【０００４】  従来用いられてきた沸石を使った方法に代わって、多孔性質を有し酸化鉄を含む玄武岩を放射性物質を吸着させる吸着材として用いて、放射性物質で汚染された土壌乃至瓦礫乃至水に混ぜる。当該玄武岩に放射性物質を吸着させた後に、磁力を使って、当該玄武岩を吸い寄せて当該混合物から分離し、放射性物質を吸着した当該玄武岩のみを回収する。
【発明の効果】
【０００５】本発明によって、比較的安価で大量供給が可能な天然の鉱物を放射性物質を吸着させるための吸着材として用いる放射性物質の除染において、吸着材として沸石を用いる従来の方法で見られた放射性物質を吸着した後の沸石自体の回収の困難さを克服することによって、放射性物質を含んだ吸着材の回収の作業が容易となるとともに、放射性物質の除染の方法の多様性を増すこととなる。また、吸着材に吸着させた放射性物質の回収の確実性が増すことになる。この発明により、放射性物質により汚染された土壌乃至瓦礫乃至水に混じった放射性物質の除去が比較的安価かつ平易にできることなり、広範囲に放射性物質が拡散した地域での放射性物質の除染に役立つこととなる。
【図面の簡単な説明】
【０００６】
【図１】  特許請求の範囲中請求項１で、土壌乃至瓦礫乃至水のうちの一又は複数の混合物と放射性物質を吸着した当該玄武岩の混合物の中から、当該玄武岩のみを分離するため、電磁石によって当該玄武岩を吸着させ分離している図である。太い矢印は作業の順序を示す。
【図２】  特許請求の範囲中請求項４で、土壌乃至瓦礫乃至水のうちの一又は複数の混合物と放射性物質を吸着した当該玄武岩の混合物の中から、当該玄武岩のみを分離するため、電磁石によって当該玄武岩を吸着させ分離している図である。太い矢印は作業の順序を示す。請求項３もこれに準ずる。
【図３】  特許請求の範囲中請求項５で、土壌乃至瓦礫乃至水のうちの一又は複数の混合物と放射性物質を吸着した当該玄武岩の混合物の中から、当該玄武岩のみを分離するため、放射性物質を吸着させた当該玄武岩と土壌乃至瓦礫乃至水のうちの一又は複数の混合物の混じった混合物の移動にベルトコンベアを使った場合に、電磁石によって当該玄武岩を吸着させ分離している図である。
【発明を実施するための形態】
【０００７】  放射性物質で汚染された土壌乃至瓦礫乃至水に放射性物質の吸着材として当該玄武岩を混ぜて放射性物質を吸着させた後、放射性物質を吸着した当該玄武岩のみを分離するために、当該領域に、磁化させた電磁石を近づけ、当該玄武岩を電磁石に吸い寄せて分離する。電磁石は固定しても移動させてもよい。土壌乃至瓦礫乃至水のうちの一又は複数の混合物と放射性物質を吸着した当該玄武岩の混じった混合物は一定の場所に置いてもベルトコンベアやその他の移動用機材を使って移動させてもよい。
【符号の説明】
【０００８】１  電磁石
２  多孔性質を有し酸化鉄を含む玄武岩の粒
３  石
４  土砂・泥
５  瓦礫
６  水槽乃至はプールの断面
７  水
８  ベルトコンベア
【図１】
2013164407.tif 000003
【図２】
2013164407.tif 000004
【図３】
2013164407.tif 000005
(57)【要約】【課題】  本発明は、たとえば、商店街における自転車と通行者、および、各商店との安全と快適性を向上させると同時に、より親しみやすい商店街としての位置付けに寄与するために、課題である自転車の整理配置を積極的に意識づけるためのガイドとして利用してもらえるように工夫した、自転車の整列用ガイドを提供する。【解決手段】  ガイド板（１）の外形を自転車の形状に成形し、ガイド板（１）の下側に弾性体（２）を設け、弾性体（２）の下部に台座（３）を設けたことを特徴とした自転車の整列用ガイド。【選択図】図１
2013164570.tif 000002
【特許請求の範囲】
【請求項１】
ガイド板（１）の外形を自転車の形状に成形し、ガイド板（１）の下側に弾性体（２）を設け、弾性体（２）の下部に台座（３）を設けたことを特徴とした自転車の整列用ガイド。
【発明の詳細な説明】
【技術分野】
【０００１】  本発明は、たとえば、商店街における自転車と通行者、および、各商店との安全と快適性を向上させると同時に、より親しみやすい商店街としての位置付けに寄与するために、課題である自転車の整理配置を積極的に意識づけるためのガイドとして利用してもらえるように工夫した、自転車の整列用ガイドに関するものである。
【背景技術】
【０００２】  従来、商店街の道路に不法に自転車を駐輪していた。
このため、歩行者に迷惑をかけていた。
また、周囲の景観を損ねていた。
そこで、自転車を効率よく整然と駐輪させることができるように、駐輪装置を設置することが行われている。
駐輪装置には、自転車を平面的に並べて駐輪させる構造の簡単なものから、立体的に駐輪させる構造の複雑なものまで提案されており、これら駐輪装置は駐輪場の条件等に合わせて選択されている。
【先行技術文献】
【特許文献】
【０００３】
【特許文献１】  特開２００５−３３６７２５号公報
【発明の概要】
【発明が解決しようとする課題】
【０００３】  従来、すでに駐輪されている自転車と同じ場所、向きで駐輪していたので、歩行者の邪魔になっていた。
自転車のユーザがマナーを守っても商店街の安全、安心、快適を損なうケースもあった。
商店、歩行者、自転車ユーザの三者が共存できる商店街であることが望ましかった。
従来、放置した自転車はなかなか減少せず、商店街の安全、安心、快適を損なう一因となっていた。
多くの自転車のユーザは、他に迷惑をかけない範囲で自転車の利便性を享受しようと努めているが、必ずしも実現されていなかった。
従来、自転車の駐輪装置は、駐輪させておく、という本来の機能は満たしているが、視点を変えて一般的な商品として見た場合、駐輪という機能だけでは、商品的な価値を十分に満足させることができていなかった。
そこで、この発明は、駐輪装置に宣伝広告の媒体となる機能を付けた自転車の整列用ガイドを提供する。
本発明は、以上の問題点を解決するためになされたものである。
【課題を解決するための手段】
【０００４】  ガイド板（１）の外形を自転車の形状に成形し、ガイド板（１）の下側に弾性体（２）を設け、弾性体（２）の下部に台座（３）を設ける。
以上のように構成した自転車の整列用ガイド。
【発明の効果】
【０００５】  歩行者の邪魔にならない駐輪が実現できる。
自転車のマークにより、駐輪スペースであることを知らせることができる。
正しい並べ方の駐輪を誘導することで道へのはみ出しを防止できる。
道が歩きやすくなり、徒歩での買い物が快適にできる。
子育て中の方や高齢者の方々が安心かつ便利に買い物ができる。
商店の前の駐輪のスペースを大幅に減らすことができる。
商店の前に複数の自転車が駐輪でき、余分なスペースをとらずに所望の大きさの自転車置き場を簡単に作ることができる。
案内ができ、また、取り付ける表示板を綺麗な化粧板にすれば、見栄えもよくなる。
【図面の簡単な説明】
【０００６】
【図１】  本発明の側面図である。
【発明を実施するための形態】
【０００７】  本発明の実施の形態について説明する。
ガイド板（１）の外形を自転車の形状に成形し、ガイド板（１）が風で転倒しないように、自転車の形状に素材をくりぬく。
ガイド板（１）の素材は、金属、または、樹脂が好ましい。
ガイド板（１）の下側の前後の２ヵ所にバネ材などの弾性体（２）を設け、弾性体（２）の下側の前後の２ヵ所に台座（３）を設ける。
台座（３）は、風で転倒しないように重量物にする。
本発明は以上のような構造である。
本発明を使用するときは、商店街の道路に、本発明の自転車の整列用ガイドを置き、自転車のマークにより、駐輪スペースであることを知らせる。
その結果、自転車を規則正しく、整列し駐輪してくれる。
歩行者の邪魔にならない駐輪が実現できる。
【符号の説明】
【０００８】    １  ガイド板
２  弾性体
３  台座
【図１】
2013164570.tif 000003
(57)【要約】【課題】天候不順や夜間に発電出来なかったソーラーパネルにＬＥＤ光を照射して、２４時間発電させて安定的電力を提供する。【解決手段】ボックス内で発電させる為、太陽光は一切不要で天候不順や夜間でも、２４時間発電し、比較的安定的に発電出来るのと、屋根以外、壁にも取り付けることが出来るのが、最大特徴である。【選択図】図１
2013058736.tif 000002
【特許請求の範囲】
【請求項１】
（イ）遮光ボックス内（１）の上、下にソーラーパネル（２）を取り付ける。
（ロ）中間にＬＥＤ球を取り付けたパネル（３）を設置する。
以上により、ソーラーパネルにＬＥＤ光を照射し発電させる方式。
【発明の詳細な説明】
【技術分野】
【０００１】  この発明は太陽光がないと発電しなかったソーラーパネルにＬＥＤ光を照射し２４時間発電させる発明である。
【背景技術】
【０００２】  太陽光不足や夜間だと発電しなかった。
【発明の開示】
【発明が解決しようとする課題】
【０００３】  太陽光不足や夜間でもＬＥＤ光をソーラーパネルに照射し２４時間発電させるものである。
【課題を解決するための手段】
【０００４】  遮光ボックス（１）の上、下にソーラーパネル（２）を取り付け、中間にＬＥＤ球を取り付けたパネル（３）を取り付ける。
本発明は以上のように構成し、ソーラーパネルにＬＥＤ光を照射し発電させるシステムである。
【発明の効果】
【０００５】  遮光ボックス内で発電のため、日照不足や夜間に関係なく、２４時間安定発電と、屋根以外壁にも取り付けが出来る様になった。
【発明を実施するための最良の形態】
【０００６】  遮光ボックス（１）の上、下にソーラーパネル（２）を取り付ける。
中間にＬＥＤ球を取り付けたパネル（３）を設置し、ＬＥＤ光を上下ソーラーパネルにＬＥＤ光を照射させる。
本発明は以上のような構造である。
これにより外光なしで２４時間発電することが、出来るようになった。
【図面の簡単な説明】
【０００７】
【図１】本発明の断面図である。
【符号の説明】
【０００８】１  遮光ボックス
２  ソーラーパネル
３  ＬＥＤ球取り付けパネル
【図１】
2013058736.tif 000003